(57)【要約】 【課題】  本発明は、海水または淡水の汚染を防止し、その亡失を防止し、釣りおもりの高さを容易く調節することができる亡失防止用釣りおもりに関するものである。【解決手段】本発明の亡失防止用釣りおもりは、ウエート(weight)と、前記ウエート(weight)の外面に一定の厚さで積層形成され、生分解性ポリエステル(biodegradable polyester)で構成される親環境樹脂層と、前記親環境樹脂層の外周面に長く形成される多数の一字型突部とを含んで構成される。【選択図】図２
2011177142.tif 000002
【特許請求の範囲】
【請求項１】
ウエート(weight)と、
前記ウエート(weight)の外面に一定の厚さで積層形成され、生分解性ポリエステル(biodegradable polyester)で構成される親環境樹脂層と、
前記親環境樹脂層の外周面に長く形成される多数の一字型突部と、
を含んで構成されることを特徴とする亡失防止用釣りおもり。
【請求項２】
前記多数の一字型突部は、その下端部に掛け部(latching portion)が形成されて前記親環境樹脂層から抜けないで固定するように設置されることを特徴とする請求項１に記載の亡失防止用釣りおもり。
【請求項３】
前記多数の一字型突部は、その上端部に魚の視線を誘導するための螢光体が一体的に形成されることを特徴とする請求項１に記載の亡失防止用釣りおもり。
【請求項４】
ウエート(weight)と、
前記ウエート(weight)の外面に一定の厚さで積層形成され、生分解性ポリエステルで構成される親環境樹脂層と、
前記親環境樹脂層の外周面に長く形成される多数の一字型突部と、
前記ウエート(weight)の内部にその垂直貫通ホールに沿って形成され、空間部を持つ高さ調節具(height adjustor)とを含んで構成され、
前記高さ調節具の下部内側には雌ねじ部(female screw)が形成され、下部掛けがね(lower ring)の上部に形成された雄ねじ部(male screw)が前記雌ねじ部とねじ結合されるが、掛け突起(latching protrusion)及びパッキング(packing)が前記雌ねじ部の下端部と前記下部掛けがねとの間に介在されることを特徴とする亡失防止用釣りおもり。
【請求項５】
前記高さ調節具の空間部の内部には、前記釣りおもりの高さを調整するための重量物(weight material)が選択的に挿入されることを特徴とする請求項４に記載の亡失防止用釣りおもり。
【請求項６】
前記ウエート(weight)は鉄鉱石または天然石で成り立つことを特徴とする請求項４に記載の亡失防止用釣りおもり。
【発明の詳細な説明】
【技術分野】
【０００１】
本発明は亡失防止用釣りおもりに関するものである。より詳細には、ウエート(weight)の外面に生分解性ポリエステルで構成される親環境樹脂層が一定の厚さで積層形成されることによって、釣りを楽しむための海水または淡水の汚染を予防することができ、また前記親環境樹脂層の外周面に多数の一字型突部がブラッシュ形象に長く形成されるので、前記亡失防止用釣りおもりが水面の下側に形成された石と石の間の空隙に挿入されても、前記多数の一字型突部により、石と石の間の空隙に釣りおもりが挟まることなく、易しくすり抜けることができるので、その亡失を防止することができ、前記一字型突部の上端部に水中で光を出すことができる螢光体が一体的に形成されることによって、魚の視線を誘導して漁獲量をより一層進めるようにし、前記高さ調節具の空間部から多数の重量物を選択的に挿入またはとり除く簡単な動作により、釣りおもりの高さを容易く調節するようにした亡失防止用釣りおもりに関するものである。
【背景技術】
【０００２】
一般的に、沖釣りまたは川釣りに使われる釣りおもりは、魚を釣るために、釣糸に繋がれた釣り針とともに水面に投げて前記釣り針が魚が移動する水面の下に向けるように鉛または黄銅等のような比較的重いウエート(weight)で構成される。
【０００３】
しかし、前記釣りおもりは重金属である鉛または黄銅等で成り立つので、
釣りを楽しむ海水または淡水を汚染するという大きな短所がある。
【０００４】
特に、前記のような釣りおもりは魚を釣るために水面に投げて水底に沈んだ時に、石と石の間の空隙に易しく挟まるようになる。また、釣糸をたくし上げる場合、前記石と石の間の空隙に挟まった釣りおもりが前記釣糸から離脱して、釣りおもりを亡失するのが頻繁である。よって、亡失された釣りおもりにより、釣り場をもっと汚染させる問題点がある。
【０００５】
さらに、従来の釣りおもりの高さを調節する場合には、従来の釣りおもりは鉛のような重金属で成るため、使用者が直接別途の道具を利用して鉛の一部を除去して高さを調節する。しかし、従来の釣りおもりの高さ調節は煩わしく、難しいという短所がある。
【０００６】
一方、最近では、前述した問題点を改善するために、弾力性ゴムキャップの内部に粉末状態の鉄鉱石を注入させ、これを収縮及び成形した釣りおもりにより、釣り場の環境汚染を予防しながら前記弾力性ゴムにより石の隙間にかかった釣りおもりが易しくすり抜けて来ることができる弾力性釣りおもりが韓国登録実用新案第２０-０２７３６９４号に知られている。
【０００７】
すなわち、図１に図示されたように、弾力性ゴムキャップ ２の内部に粉末状態の鉄鉱石３が注入されて収縮成形した弾性釣りおもり１により、釣り場の環境汚染を防止することができる。
【０００８】
しかし、前記従来の弾性釣りおもり１の場合、比較的厚さが厚い弾力性ゴムキャップ ２の内部に別途の粉末状態の鉄鉱石３を入れ込むから、前記粉末状態の鉄鉱石が前記ゴムキャップ２の下側に形成された穴Ｈを通じて易しく遺失されうる。
【０００９】
さらに、前記釣りおもりが石と石の間の空隙に挟まった場合、瞬間的に引かれる釣糸により前記釣りおもりが易しく石の隙からすり抜けて来ることができない。よって、釣りおもりの亡失が頻繁に発生する。また、前記釣りおもり１の外面を構成するゴムキャップ２も水面の下に易しく分解されず汚染を悪化させる。さらに、前記従来の弾性釣りおもり１の場合、釣りおもりの高さを調節するのが不可能であるという問題点がある。
【先行技術文献】
【特許文献】
【００１０】
【特許文献１】韓国登録実用新案第２０-０２７３６９４号
【発明の概要】
【発明が解決しようとする課題】
【００１１】
したがって、本発明は、前記のような従来技術の問題点に鑑みなされたものであって、本発明の目的は、ウエート(weight)の外面に生分解性ポリエステル(biodegradable polyester)で構成される親環境樹脂層(environment-friendly resin layer)が一定の厚さで積層形成されることによって、釣りを楽しむための海水または淡水の汚染を予防することができるし；前記親環境樹脂層の外周面に多数の一字型突部(line type protrusion)がブラッシュ(brush)形象に長く形成されるので、前記亡失防止用釣りおもりが水面の下側に形成された石と石の間の空隙に挿入されても、前記多数の一字型突部により、石と石の間の空隙に釣りおもりが挟まらないで、易しくすり抜けて来ることができるので、その亡失を防止することができるし; 前記一字型突部の上端部に水中で光を出すことができる螢光体(fluorescent substance)が一体的に形成されることによって、魚の視線を誘導して漁獲量をより一層進めるようにし；前記高さ調節具の空間部から多数の重量物を選択的に挿入またはとり除く簡単な動作により、釣りおもりの高さを容易く調節するようにした亡失防止用釣りおもりを提供することにある。
【課題を解決するための手段】
【００１２】
前記の目的等を果たすための本発明による亡失防止用釣りおもりは、ウエート(weight)と、前記ウエート(weight)の外面に一定の厚さで積層形成され、生分解性ポリエステル(biodegradable polyester)で構成される親環境樹脂層と、前記親環境樹脂層の外周面に長く形成される多数の一字型突部とを含んで構成されることを特徴とする。
【００１３】
本発明の望ましい実試例によれば、前記多数の一字型突部は、その下端部に掛け部(latching portion)が形成されて前記親環境樹脂層から抜けないで固定するように設置される。
【００１４】
本発明の望ましい実試例によれば、前記多数の一字型突部は、その上端部に魚の視線を誘導するための螢光体が一体的に形成される。
【００１５】
前記の目的等を果たすための本発明による亡失防止用釣りおもりは、ウエート(weight)と、前記ウエート(weight)の外面に一定の厚さで積層形成され、生分解性ポリエステルで構成される親環境樹脂層と、前記親環境樹脂層の外周面に長く形成される多数の一字型突部と、前記ウエート(weight)の内部にその垂直貫通ホールに沿って形成され、空間部を持つ高さ調節具(height adjustor)とを含んで構成され、前記高さ調節具の下部内側には雌ねじ部(female screw)が形成され、下部掛けがね(lower ring)の上部に形成された雄ねじ部(male screw)が前記雌ねじ部とねじ結合されるが、掛け突起(latching protrusion)及びパッキング(packing)が前記雌ねじ部の下端部と前記下部掛けがねとの間に介在されることを特徴とする。
【００１６】
本発明の望ましい実試例によれば、前記高さ調節具の空間部の内部には、前記釣りおもりの高さを調整するための重量物(weight material)が選択的に挿入される。
【００１７】
本発明の望ましい実試例によれば、前記ウエート(weight)は鉄鉱石または天然石で成り立つ。
【発明の効果】
【００１８】
前記で説明したように、ウエート(weight)の外面に生分解性ポリエステル(biodegradable polyester)で構成される親環境樹脂層(environment-friendly resin layer)が一定の厚さで積層形成されることによって、釣りを楽しむための海水または淡水の汚染を予防することができるし；前記親環境樹脂層の外周面に多数の一字型突部(line type protrusion)がブラッシュ(brush)形象に長く形成されるので、前記亡失防止用釣りおもりが水面の下側に形成された石と石の間の空隙に挿入されても、前記多数の一字型突部により、石と石の間の空隙に釣りおもりが挟まらないで、易しくすり抜けて来ることができるので、その亡失を防止することができるし; 前記一字型突部の上端部に水中で光を出すことができる螢光体(fluorescent substance)が一体的に形成されることによって、魚の視線を誘導して漁獲量をより一層進めるようにし；前記高さ調節具の空間部から多数の重量物を選択的に挿入またはとり除く簡単な動作により、釣りおもりの高さを容易く調節するようにした効果がある。
【図面の簡単な説明】
【００１９】
【図１】従来の弾力性釣りおもりの断面図である。
【図２】本発明による亡失防止用釣りおもりの断面図である。
【図３】本発明による亡失防止用釣りおもりの部分拡大断面図である。
【図４】本発明の他の実施例による亡失防止用釣りおもりの断面図である。
【図５】本発明の他の実試例によるウエート(weight)内部に高さ調節具が形成された亡失防止用釣りおもりの断面図である。
【図６】図５の釣りおもりの分解断面図である。
【発明を実施するための形態】
【００２０】
以下、本発明の実施例を添付された図面を参照して詳細に説明する。
【００２１】
図２は本発明による亡失防止用釣りおもりの断面図であり、図３は本発明による亡失防止用釣りおもりの部分拡大断面図である。
【００２２】
図２及び図３に図示されたように、本発明による亡失防止用釣りおもり１００は、 鉄鉱石または加工した天然石等で成り立ったウエート(weight)１１０と、前記ウエート(weight)１１０の外面に一定の厚さで積層形成され、生分解性ポリエステルで構成される親環境樹脂層１２０と、前記親環境樹脂層１２０の外周面に長く形成される多数の一字型突部１３０とで構成される。
【００２３】
ここで、前記親環境樹脂層１２０の外周面に長く形成される前記多数の一字型突部１３０は、その下端部に掛け部１４０が形成されて前記親環境樹脂層１２０から抜けないで固定するように設置される。
【００２４】
また、 前記親環境樹脂層１２０の外周面に長く形成される前記多数の一字型突部１３０は、その上端部に魚の視線を誘導するための螢光体１５０が一体的に形成される。
【００２５】
以下、本発明による亡失防止用釣りおもりの作用及び効果を添付された図面を参照して説明する。
【００２６】
即ち、図２及び図３に図示されたように、鉄鉱石または加工した天然石等で成り立ったウエート(weight)１１０を持つ本発明による亡失防止用釣りおもり１００は、前記ウエート(weight)１１０の外面に生分解性ポリエステルで構成される親環境樹脂層１２０が一定の厚さで積層形成することによって、釣りを楽しむための海水または淡水の汚染を予防するようになる。特に、前記釣りおもり１００が海水または淡水内部に亡失されても、前記ウエート(weight)１１０の外面に一定の厚さで積層形成され、生分解性ポリエステルで構成される親環境樹脂層１２０により、釣り場の環境汚染を防止することができる。
【００２７】
また、本発明による亡失防止用釣りおもり１００は、前記親環境樹脂層１２０の外周面にブラッシュ形象で長く形成される多数の一字型突部１３０をさらに構成する。この時、前記親環境樹脂層１２０の外周面に設置される各々の一字型突部１３０の下端部に掛け部１４０が形成されるので、各々の一字型突部１３０は前記親環境樹脂層１２０から抜けないで強く固定するように設置される。
【００２８】
したがって、本発明による亡失防止用釣りおもり１００が水面の下側に形成された石と石の間の空隙に挿入されても、前記親環境樹脂層１２０の外周面に長く形成される多数の一字型突部１３０により、石と石の間の空隙に釣りおもり１００が挟まらないで、易しくすり抜けて来ることができるので、釣りおもり１００の亡失を防止することができる。
【００２９】
さらに、前記親環境樹脂層１２０の外周面にブラッシュ形象で長く形成される多数の一字型突部１３０は、その上端部には、水中で光を出すことができる螢光体１５０が一体的に形成されることによって、魚の視線を誘導して漁獲量をより一層進めるようにする。
【００３０】
図４は本発明の他の実施例による亡失防止用釣りおもりの断面図である。
【００３１】
図４に図示されたように、梯形で成り立った亡失防止用釣りおもりのウエート(weight)１１０の外面に生分解性ポリエステルで構成される親環境樹脂層１２０が一定の厚さで積層形成された状態で、多数の一字型突部１３０が前記親環境樹脂層１２０の外周面にブラッシュ形象で長く形成される。ここで、前記一字型突部１３０の上端部には、水中で光を出すことができる螢光体１５０が一体的に形成されることによって、前記と同じ等しい効果を得ることができる。
【００３２】
図５は本発明の他の実試例によるウエート(weight)内部に高さ調節具が形成された亡失防止用釣りおもりの断面図であり、図６は図５の釣りおもりの分解断面図である。
【００３３】
図５及び図６に図示されたように、前記実試例のように、鉄鉱石または加工した天然石等で成り立った亡失防止用釣りおもり１００のウエート(weight)１１０の外面に生分解性ポリエステルで構成される親環境樹脂層１２０が一定の厚さで積層形成された状態で、多数の一字型突部１３０が釣りおもり１００の親環境樹脂層１２０の外周面に長く形成され、空間部１７０を持つ高さ調節具１８０が前記ウエート(weight)１１０の内部にその垂直貫通ホール１６０に沿って形成される。
【００３４】
また、前記高さ調節具１８０の下部内側には雌ねじ部１８１が形成され、下部掛けがね２１０の上部に形成された雄ねじ部２１１が前記雌ねじ部８１とねじ結合されるが、掛け突起１９０及びパッキング２００が前記雌ねじ部１８１の下端部と前記下部掛けがね２１０との間に介在される。
【００３５】
また、前記高さ調節具１８０の空間部１７０内部には、釣りおもり１００の高さを調整するための重量物２２０が選択的に挿入される。
【００３６】
したがって、前記ウエート(weight)１１０の内部に内設された高さ調節具１８０から下部掛けがね２１０を分解させた後、前記高さ調節具１８０の空間部１７０内部に針金等のような重量物２２０を多数挿入するか、または前記重量物２２０の一定量を抜き取って前記雄ねじ２１１を雌ねじ１８１にねじ結合する簡単な動作により、釣りおもり１００の高さを容易く調節することができる。
【００３７】
以上で説明したものは、本発明による試料保管装置を実施するための一つの実施例に過ぎないものであり、本発明は前記一実施例に限定されずに、本発明の特許の請求範囲で請求するように本発明の要旨を抜け出すことがなく、当該発明が属する分野で通常の知識を有した者ならば誰でも多様な変更実施が可能な範囲まで本発明の技術的精神があるということができる。
【符号の説明】
【００３８】
１００  釣りおもり(fishing sinker)
１１０  ウエート(weight)
１２０  親環境樹脂層
１３０  一字型突部
１４０  掛け部(latching portion)
１５０  螢光体
１６０  垂直貫通ホール
１７０  空間部
１８０  高さ調節具
１８１  雌ねじ部
１９０  掛け突起(latching protrusion)
２００  パッキング(packing)
２１０  下部掛けがね(lower ring)                      
２１１  雄ねじ部
２２０  重量物(weight material)
【図１】
2011177142.tif 000003
【図２】
2011177142.tif 000004
【図３】
2011177142.tif 000005
【図４】
2011177142.tif 000006
【図５】
2011177142.tif 000007
【図６】
2011177142.tif 000008
【外国語明細書】
2011177142000001.pdf